(57)【要約】【課題】パスワードや映像音声情報に付加される視聴制限の情報を用いることなく、ＨＤＤやＤＶＤに記録されている映像音声情報が不用意に視聴されること、および、予期しない番組がＨＤＤやＤＶＤに記録されることを防止する。【解決手段】ＨＤＤ６やＤＶＤ１３の再生の指示が入力手段１０に入力されたときにＨＤＤ６やＤＶＤ１３の再生を禁止するかどうかの設定と、ＨＤＤ６やＤＶＤ１３への記録の指示が入力手段１０に入力されたときにＨＤＤ６やＤＶＤ１３への記録を禁止するかどうかの設定とを行う禁止許可設定手段１９を備えている。【選択図】  図１
2006148717.tif 000002
【特許請求の範囲】
【請求項１】
ユーザの指示が入力される入力手段と、
商用放送の番組を受信するチューナ部と、
映像音声情報を内部に記録するとともに内部に記録した映像音声情報を再生して出力するハードディスクドライブと、
ＤＶＤへの映像音声情報の記録とＤＶＤに記録された映像音声情報の再生とを行うディスクドライブ部と、
録画予約の受け付けを行うとともに受け付けを行った録画予約を記憶する録画予約手段と、
録画予約手段が記憶した録画予約に基づいて、チューナ部が受信した番組を示す映像音声情報をＤＶＤまたはハードディスクドライブに記録する予約実行手段とを備えた映像音声記録再生装置において、
予め入力された暗証番号を記憶する暗証番号記憶手段と、
ハードディスクドライブに記録された映像音声情報の再生の指示が入力手段に入力されたときにハードディスクドライブに記録された映像音声情報の再生を禁止するか許可するかの設定と、ハードディスクドライブに映像音声情報を記録する指示が入力手段に入力されたときにハードディスクドライブへの映像音声情報の記録を禁止するか許可するかの設定と、ＤＶＤに記録された映像音声情報の再生の指示が入力手段に入力されたときにＤＶＤの再生を禁止するか許可するかの設定と、ＤＶＤに映像音声情報を記録する指示が入力手段に入力されたときにＤＶＤへの映像音声情報の記録を禁止するか許可するかの設定とを行う禁止許可設定手段とを備え、
禁止許可設定手段は、ハードディスクドライブに映像音声情報を記録する指示が入力手段に入力されたときにハードディスクドライブへの映像音声情報の記録を禁止する設定を行ったときには、録画予約手段が録画予約の受け付けを行うことを禁止するとともに録画予約手段が記憶した録画予約に基づいて予約実行手段がチューナ部が受信した番組を示す映像音声情報をハードディスクドライブに記録することを許可し、ＤＶＤに映像音声情報を記録する指示が入力手段に入力されたときにＤＶＤへの映像音声情報の記録を禁止する設定を行ったときには、録画予約手段が録画予約の受け付けを行うことを禁止するとともに録画予約手段が記憶した録画予約に基づいて予約実行手段がチューナ部が受信した番組を示す映像音声情報をＤＶＤに記録することを許可し、
且つ、禁止許可設定手段は、入力手段に入力された暗証番号が暗証番号記憶手段が記憶した暗証番号に一致するときには、前記禁止するか許可するかの設定の変更の受け付けを行うことを特徴とする映像音声記録再生装置。
【請求項２】
ユーザの指示が入力される入力手段と、
映像音声情報を内部に記録するとともに内部に記録した映像音声情報を再生して出力するハードディスクドライブと、
ＤＶＤへの映像音声情報の記録とＤＶＤに記録された映像音声情報の再生とを行うディスクドライブ部とを備えた映像音声記録再生装置において、
ハードディスクドライブに記録された映像音声情報の再生の指示が入力手段に入力されたときにハードディスクドライブに記録された映像音声情報の再生を禁止するか許可するかの設定と、ハードディスクドライブに映像音声情報を記録する指示が入力手段に入力されたときにハードディスクドライブへの映像音声情報の記録を禁止するか許可するかの設定と、ＤＶＤに記録された映像音声情報の再生の指示が入力手段に入力されたときにＤＶＤの再生を禁止するか許可するかの設定と、ＤＶＤに映像音声情報を記録する指示が入力手段に入力されたときにＤＶＤへの映像音声情報の記録を禁止するか許可するかの設定とを行う禁止許可設定手段を備えたことを特徴とする映像音声記録再生装置。
【請求項３】
ユーザの指示が入力される入力手段と、
商用放送の番組を受信するチューナ部と、
チューナ部が受信した番組を示す映像音声情報を記録する情報記録媒体と、
録画予約の受け付けを行うとともに受け付けを行った録画予約を記憶する録画予約手段と、
録画予約手段が記憶した録画予約に基づいて、チューナ部が受信した番組を示す映像音声情報を情報記録媒体に記録する予約実行手段とを備えた映像音声記録再生装置において、
映像音声情報を情報記録媒体に記録する指示が入力手段に入力されたときに情報記録媒体への映像音声情報の記録を禁止するか許可するかの設定を行う禁止許可設定手段を備え、
禁止許可設定手段は、映像音声情報を情報記録媒体に記録する指示が入力手段に入力されたときに情報記録媒体への映像音声情報の記録を禁止する設定を行ったときには、録画予約手段が録画予約の受け付けを行うことを禁止するとともに録画予約手段が記憶した録画予約に基づいて予約実行手段がチューナ部が受信した番組を示す映像音声情報を情報記録媒体に記録することを許可することを特徴とする映像音声記録再生装置。
【請求項４】
予め入力された暗証番号を記憶する暗証番号記憶手段を備え、
禁止許可設定手段は、入力手段に入力された暗証番号が暗証番号記憶手段が記憶した暗証番号に一致するときには、前記禁止するか許可するかの設定の変更の受け付けを行うことを特徴とする請求項２または請求項３に記載の映像音声記録再生装置。
【発明の詳細な説明】
【技術分野】
【０００１】
本発明は、ハードディスクドライブ（以下では、ＨＤＤと称する）やＤＶＤに記録された映像音声情報の再生の指示が入力されたときにＨＤＤやＤＶＤの再生を禁止するか許可するかの設定と、ＨＤＤやＤＶＤに映像音声情報を記録する指示が入力されたときにＨＤＤやＤＶＤへの映像音声情報の記録を禁止するか許可するかの設定とを可能にした映像音声記録再生装置、および、映像音声情報を情報記録媒体に記録する指示が入力されたときに映像音声情報を情報記録媒体に記録することを禁止するか許可するかの設定を可能にした映像音声記録再生装置に関するものである。
【背景技術】
【０００２】
映像音声情報が記録されたＤＶＤの再生を、ある状態となるときには禁止し、別の状態となるときには許可する技術に、パレンタルロックと呼ばれる技術がある。すなわち、この技術では、ＤＶＤ毎に記録されたパレンタルレベルと、再生装置の側に設定されたパレンタルレベルとを比較するようになっている。そして、比較結果が再生の許可を示すときには、再生の指示が入力されるとＤＶＤの再生を行い、比較結果が再生の禁止を示すときには、再生の指示が入力されるときにも、ＤＶＤの再生を行わないようになっている（第１の従来技術とする）。
【０００３】
また、以下に示す技術が提案されている（第２の従来技術とする）。すなわち、この技術では、コンピュータ本体から取り外しが可能なＨＤＤの内部に設けられたフラッシュメモリに、予め、オーナー名とオーナーパスワードとを記憶している。また、ユーザ認証のためのデータ（ユーザ名とパスワード）をフラッシュメモリに記憶している。また、オーナー名とオーナーパスワードとを、コンピュータ本体を介して前記ＨＤＤに入力するときでは、前記ＨＤＤの状態を、非ロック状態とロック状態とのうち、任意の側の状態に設定できるとともに、ユーザ毎の属性を設定できるようになっている。
【０００４】
そして、非ロック状態に設定されたときでは、前記ＨＤＤは、書き込みと読み出しとが可能な、通常のＨＤＤとして動作する。一方、ロック状態に設定されたときでは、コンピュータ本体からユーザ認証のためのデータ（ユーザ名とパスワード）が与えられると、フラッシュメモリに記憶したユーザ認証のためのデータを参照することによって、与えられたデータが正しいかどうかを調べる。与えられたデータを調べた結果、データが正しいことが判明すると、正しく認証されたことをコンピュータ本体の側に知らせるとともに、データ領域にアクセス可能な状態に移行する。データ領域にアクセス可能な状態に移行した後では、認証されたユーザの属性が読み書き可能であるときには、読み出しと書き込みとが可能なＨＤＤとして動作する。一方、認証されたユーザの属性が読み出しのみであった場合には、データの読み出しのコマンドは受け付けるが、データの書き込みコマンドの受け付けを拒否するＨＤＤとして動作する（例えば、特許文献１参照）。
【０００５】
また、以下に示す技術が提案されている（第３の従来技術とする）。すなわち、この技術では、ユーザ機器は、自身に記録されているコンテンツデータを再生するための操作要求が出されると、現在時刻情報、機器ＩＤ、コンテンツ情報、操作情報をサービスセンタに送信するとともに、これらの情報を用いて、ある限られた時間内でのみ有効となるワンタイムパスワードを作成する。一方、サービスセンタの側では、ユーザ機器から送られてきた情報と自身の時計部で得られる現在時刻情報から、同じくワンタイムパスワードと操作許可指令とを作成し、それをユーザ機器に送信する。ユーザ機器ではこれら２つのワンタイムパスワードを比較し、一致すればユーザからの要求のあった操作（再生）を実行するようになっている。このため、情報提供側に未登録の機器でのコンテンツデータの不正使用が防止されることになる（例えば、特許文献２参照）。
【特許文献１】特開２００４−８６３３６号公報（第００２６−００４５段落）
【特許文献２】特開２００４−２２７０７７号公報
【発明の開示】
【発明が解決しようとする課題】
【０００６】
しかしながら、第１の従来技術を用いる場合には、以下に示す問題を生じていた。すなわち、パレンタルロックでは、視聴を制限する情報を映像音声情報に付加することが不可欠となっている。このため、ビデオカメラを用いて個人的に撮影した映像音声情報等のように、視聴を制限する情報が付加されていない映像音声情報であって、且つ、他のユーザに見られたくない映像音声情報が、ＨＤＤや装置にセットされたＤＶＤに記録されており、且つ、本人がいないときにも、他のユーザが装置を使用可能になっているときでは、他のユーザに見られたくない映像音声情報が、他のユーザによって見られるという事態が発生するが、このような事態の発生を防止できない。また、連続ドラマ、等のような特定の番組の記録のみに使用するＤＶＤを装置にセットしているときに、他のユーザによって、そのＤＶＤに、異なる番組が不用意に記録されるという事態の発生を防止できない。また、ＨＤＤの空き領域が少なく、例えば、２時間分の番組の記録が可能な程度の空き領域しか残っていない状態において、２時間の番組の録画予約をしたとき、他のユーザによって、その空き領域に番組が記録されると、録画予約が実行できなくなるという事態が発生するが、このような事態の発生を防止できない。
【０００７】
第２の従来技術は、コンピュータ本体から取り外し可能なＨＤＤに対して、正しいユーザ名とパスワードとが入力された場合に、記録と再生との双方を可能にするか、または、再生のみを可能にするかの設定を、オーナー名とオーナーパスワードとを知るユーザによって設定可能にした技術となっている。つまり、ユーザ名とパスワードとを用いて、ユーザ毎の記録や再生に関する許可または禁止を管理する技術となっている。このため、ユーザ名とパスワードとを用いることなく、第１の従来技術において生じた問題を解決しようとする場合には、適用することが困難な技術となっている。
【０００８】
第３の従来技術は、情報提供側に未登録の機器でのコンテンツデータの不正使用を防止する技術であるので、上記した第１の従来技術における問題を解決しようとする観点からは、適用することが困難な技術となっている。
【０００９】
本発明は、上記の問題点を解決するため創案されたものであり、その目的は、パスワード、あるいは、映像音声情報に付加される視聴制限の情報を用いることなく、ＨＤＤやＤＶＤに記録されている映像音声情報が不用意に視聴されることを防止できるとともに予期しない番組がＨＤＤやＤＶＤに記録される事態の発生を防止することのでき、且つ、録画予約のために確保していた空き領域が、禁止許可を設定したユーザとは異なるユーザによって使用されたために、空き領域が不足して録画予約が実行できなくなるという事態の発生を防止することのでき、且つ、本人以外のユーザによって、禁止するか許可するかの設定が変更される事態の発生を防止することのできる映像音声記録再生装置を提供することにある。
【００１０】
また本発明の目的は、ＨＤＤに記録された映像音声情報の再生の指示が入力されたときにＨＤＤの再生を禁止するかどうか、ＨＤＤに映像音声情報を記録する指示が入力されたときにＨＤＤへの記録を禁止するかどうか、ＤＶＤに記録された映像音声情報の再生の指示が入力されたときにＤＶＤの再生を禁止するかどうか、ＤＶＤに映像音声情報を記録する指示が入力されたときにＤＶＤへの記録を禁止するかどうかの設定を行う手段を備えることにより、パスワード、あるいは、映像音声情報に付加される視聴制限の情報を用いることなく、ＨＤＤやＤＶＤに記録されている映像音声情報が不用意に視聴されることを防止できるとともに、予期しない番組がＨＤＤやＤＶＤに記録される事態の発生を防止することのできる映像音声記録再生装置を提供することにある。
【００１１】
また本発明の目的は、映像音声情報を情報記録媒体に記録する指示が入力手段に入力されたときに情報記録媒体への映像音声情報の記録を禁止する設定を行ったときには、録画予約の受け付けを行うことを禁止するとともに録画予約に基づいてチューナ部が受信した番組を情報記録媒体に記録することを許可することにより、録画予約のために確保していた空き領域が、禁止許可を設定したユーザとは異なるユーザによって使用されたために、空き領域が不足して録画予約が実行できなくなるという事態の発生を防止することのできる映像音声記録再生装置を提供することにある。
【００１２】
また、上記目的に加え、正しい暗証番号が入力されたときにのみ、禁止するか許可するかの設定の変更を可能とすることにより、本人以外のユーザによって、禁止するか許可するかの設定が変更される事態の発生を防止することのできる映像音声記録再生装置を提供することにある。
【課題を解決するための手段】
【００１３】
上記の課題を解決するため、本発明に係る映像音声記録再生装置は、ユーザの指示が入力される入力手段と、商用放送の番組を受信するチューナ部と、映像音声情報を内部に記録するとともに内部に記録した映像音声情報を再生して出力するＨＤＤと、ＤＶＤへの映像音声情報の記録とＤＶＤに記録された映像音声情報の再生とを行うディスクドライブ部と、録画予約の受け付けを行うとともに受け付けを行った録画予約を記憶する録画予約手段と、録画予約手段が記憶した録画予約に基づいて、チューナ部が受信した番組を示す映像音声情報をＤＶＤまたはＨＤＤに記録する予約実行手段とを備えた映像音声記録再生装置に適用している。そして、予め入力された暗証番号を記憶する暗証番号記憶手段と、ＨＤＤに記録された映像音声情報の再生の指示が入力手段に入力されたときにＨＤＤに記録された映像音声情報の再生を禁止するか許可するかの設定と、ＨＤＤに映像音声情報を記録する指示が入力手段に入力されたときにＨＤＤへの映像音声情報の記録を禁止するか許可するかの設定と、ＤＶＤに記録された映像音声情報の再生の指示が入力手段に入力されたときにＤＶＤの再生を禁止するか許可するかの設定と、ＤＶＤに映像音声情報を記録する指示が入力手段に入力されたときにＤＶＤへの映像音声情報の記録を禁止するか許可するかの設定とを行う禁止許可設定手段とを備えている。また、禁止許可設定手段は、ＨＤＤに映像音声情報を記録する指示が入力手段に入力されたときにＨＤＤへの映像音声情報の記録を禁止する設定を行ったときには、録画予約手段が録画予約の受け付けを行うことを禁止するとともに録画予約手段が記憶した録画予約に基づいて予約実行手段がチューナ部が受信した番組を示す映像音声情報をＨＤＤに記録することを許可し、ＤＶＤに映像音声情報を記録する指示が入力手段に入力されたときにＤＶＤへの映像音声情報の記録を禁止する設定を行ったときには、録画予約手段が録画予約の受け付けを行うことを禁止するとともに録画予約手段が記憶した録画予約に基づいて予約実行手段がチューナ部が受信した番組を示す映像音声情報をＤＶＤに記録することを許可する。また、禁止許可設定手段は、入力手段に入力された暗証番号が暗証番号記憶手段が記憶した暗証番号に一致するときには、前記禁止するか許可するかの設定の変更の受け付けを行うようになっている。
【００１４】
すなわち、ＨＤＤに記録された映像音声情報の再生の指示が入力されたときのＨＤＤの再生を禁止に設定すると、この設定を変更しない限りでは、ＨＤＤに記録された映像音声情報が視聴されるという事態の発生が防止される。また、ＤＶＤに記録された映像音声情報の再生の指示が入力されたときのＤＶＤの再生を禁止に設定すると、この設定を変更しない限りでは、ＤＶＤに記録された映像音声情報が視聴されるという事態の発生が防止される。また、ＨＤＤに映像音声情報を記録する指示が入力されたときのＨＤＤへの記録を禁止に設定すると、ＨＤＤに、不用意に、予期しない映像音声情報が記録される事態の発生が防止される。また、ＤＶＤに映像音声情報を記録する指示が入力されたときのＤＶＤへの記録を禁止に設定すると、ＤＶＤに、不用意に、予期しない映像音声情報が記録される事態の発生が防止される。また、チューナ部が受信した番組をＨＤＤやＤＶＤに記録する指示が入力されたときのＨＤＤやＤＶＤへの記録を禁止に設定すると、録画予約の受け付けを行うことが禁止される。このため、禁止許可を設定したユーザとは異なるユーザにより入力された指示に基づく録画や、禁止許可を設定したユーザとは異なるユーザにより入力された録画予約に基づく録画によって、ＨＤＤやＤＶＤの空き領域が使用されるという事態の発生はなくなる。その結果、録画予約時に確保されていた空き領域は、録画予約の実行時まで確保されるので、録画予約を支障なく行うことができる。また、暗証番号を知らないユーザには、禁止するか許可するかの設定を変更できない。
【００１５】
また本発明に係る映像音声記録再生装置は、ユーザの指示が入力される入力手段と、映像音声情報を内部に記録するとともに内部に記録した映像音声情報を再生して出力するＨＤＤと、ＤＶＤへの映像音声情報の記録とＤＶＤに記録された映像音声情報の再生とを行うディスクドライブ部とを備えた映像音声記録再生装置に適用している。そして、ＨＤＤに記録された映像音声情報の再生の指示が入力手段に入力されたときにＨＤＤに記録された映像音声情報の再生を禁止するか許可するかの設定と、ＨＤＤに映像音声情報を記録する指示が入力手段に入力されたときにＨＤＤへの映像音声情報の記録を禁止するか許可するかの設定と、ＤＶＤに記録された映像音声情報の再生の指示が入力手段に入力されたときにＤＶＤの再生を禁止するか許可するかの設定と、ＤＶＤに映像音声情報を記録する指示が入力手段に入力されたときにＤＶＤへの映像音声情報の記録を禁止するか許可するかの設定とを行う禁止許可設定手段を備えている。
【００１６】
すなわち、ＨＤＤに記録された映像音声情報の再生の指示が入力されたときのＨＤＤの再生を禁止に設定すると、この設定を変更しない限りでは、ＨＤＤに記録された映像音声情報が視聴されるという事態の発生が防止される。また、ＤＶＤに記録された映像音声情報の再生の指示が入力されたときのＤＶＤの再生を禁止に設定すると、この設定を変更しない限りでは、ＤＶＤに記録された映像音声情報が視聴されるという事態の発生が防止される。また、ＨＤＤに映像音声情報を記録する指示が入力されたときのＨＤＤへの記録を禁止に設定すると、ＨＤＤに、不用意に、予期しない映像音声情報が記録される事態の発生が防止される。また、ＤＶＤに映像音声情報を記録する指示が入力されたときのＤＶＤへの記録を禁止に設定すると、ＤＶＤに、不用意に、予期しない映像音声情報が記録される事態の発生が防止される。
【００１７】
また本発明に係る映像音声記録再生装置は、ユーザの指示が入力される入力手段と、商用放送の番組を受信するチューナ部と、チューナ部が受信した番組を示す映像音声情報を記録する情報記録媒体と、録画予約の受け付けを行うとともに受け付けを行った録画予約を記憶する録画予約手段と、録画予約手段が記憶した録画予約に基づいて、チューナ部が受信した番組を示す映像音声情報を情報記録媒体に記録する予約実行手段とを備えた映像音声記録再生装置に適用している。そして、映像音声情報を情報記録媒体に記録する指示が入力手段に入力されたときに情報記録媒体への映像音声情報の記録を禁止するか許可するかの設定を行う禁止許可設定手段を備え、禁止許可設定手段は、映像音声情報を情報記録媒体に記録する指示が入力手段に入力されたときに情報記録媒体への映像音声情報の記録を禁止する設定を行ったときには、録画予約手段が録画予約の受け付けを行うことを禁止するとともに録画予約手段が記憶した録画予約に基づいて予約実行手段がチューナ部が受信した番組を示す映像音声情報を情報記録媒体に記録することを許可するようになっている。
【００１８】
すなわち、映像音声情報を情報記録媒体に記録する指示が入力されたときの情報記録媒体への記録を禁止に設定すると、録画予約の受け付けを行うことが禁止される。このため、禁止許可を設定したユーザとは異なるユーザにより入力された指示に基づく録画や、禁止許可を設定したユーザとは異なるユーザにより入力された録画予約に基づく録画によって、情報記録媒体の空き領域が使用されるという事態の発生はなくなる。その結果、録画予約時に確保されていた空き領域は、録画予約の実行時まで確保されるので、録画予約を支障なく行うことができる。
【００１９】
また、上記構成に加え、予め入力された暗証番号を記憶する暗証番号記憶手段を備え、禁止許可設定手段は、入力手段に入力された暗証番号が暗証番号記憶手段が記憶した暗証番号に一致するときには、前記禁止するか許可するかの設定の変更の受け付けを行うようになっている。すなわち、暗証番号を知らないユーザには設定を変更できない。
【発明の効果】
【００２０】
本発明によれば、ＨＤＤやＤＶＤに記録された映像音声情報の再生の指示が入力されたときのＨＤＤやＤＶＤの再生を禁止に設定すると、この設定を変更しない限りでは、ＨＤＤやＤＶＤに記録された映像音声情報が視聴されるという事態の発生が防止される。また、ＨＤＤやＤＶＤに映像音声情報を記録する指示が入力されたときのＨＤＤやＤＶＤへの記録を禁止に設定すると、ＨＤＤやＤＶＤに、不用意に、予期しない映像音声情報が記録される事態の発生が防止される。また、チューナ部が受信した番組をＨＤＤやＤＶＤに記録する指示が入力されたときのＨＤＤやＤＶＤへの記録を禁止に設定すると、録画予約の受け付けを行うことが禁止される。このため、禁止許可を設定したユーザとは異なるユーザにより入力された指示に基づく録画や、禁止許可を設定したユーザとは異なるユーザにより入力された録画予約に基づく録画によって、ＨＤＤやＤＶＤの空き領域が使用されるという事態の発生はなくなる。従って、録画予約時に確保されていた空き領域は、録画予約の実行時まで確保されるので、録画予約を支障なく行うことができる。また、暗証番号を知らないユーザには、禁止するか許可するかの設定を変更できない。このため、パスワード、あるいは、映像音声情報に付加される視聴制限の情報を用いることなく、ＨＤＤやＤＶＤに記録されている映像音声情報が不用意に視聴されることを防止できるとともに予期しない番組がＨＤＤやＤＶＤに記録される事態の発生を防止することができ、且つ、録画予約のために確保していた空き領域が本人以外のユーザによって使用されたために、空き領域が不足して録画予約が実行できなくなるという事態の発生を防止することができ、且つ、本人以外のユーザによって、禁止するか許可するかの設定が変更される事態の発生を防止することができる。
【００２１】
また本発明によれば、ＨＤＤやＤＶＤに記録された映像音声情報の再生の指示が入力されたときのＨＤＤやＤＶＤの再生を禁止に設定すると、この設定を変更しない限りでは、ＨＤＤやＤＶＤに記録された映像音声情報が視聴されるという事態の発生が防止される。また、ＨＤＤやＤＶＤに映像音声情報を記録する指示が入力されたときのＨＤＤやＤＶＤへの記録を禁止に設定すると、ＨＤＤやＤＶＤに、不用意に、予期しない映像音声情報が記録される事態の発生が防止される。このため、パスワード、あるいは、映像音声情報に付加される視聴制限の情報を用いることなく、ＨＤＤやＤＶＤに記録されている映像音声情報が不用意に視聴されることを防止できるとともに、予期しない番組がＨＤＤやＤＶＤに記録される事態の発生を防止することができる。
【００２２】
また本発明によれば、映像音声情報を情報記録媒体に記録する指示が入力されたときの情報記録媒体への記録を禁止に設定すると、録画予約の受け付けを行うことが禁止される。このため、禁止許可を設定したユーザとは異なるユーザにより入力された指示に基づく録画や、禁止許可を設定したユーザとは異なるユーザにより入力された録画予約に基づく録画によって、情報記録媒体の空き領域が使用されるという事態の発生はなくなる。このため、録画予約のために確保していた空き領域が、禁止許可を設定したユーザ以外のユーザによって使用されたために、空き領域が不足して録画予約が実行できなくなるという事態の発生を防止することができる。
【００２３】
また、さらに、暗証番号を知らないユーザには設定を変更できないようにしているので、本人以外のユーザによって、禁止するか許可するかの設定が変更される事態の発生を防止することができる。
【発明を実施するための最良の形態】
【００２４】
以下、本発明の実施の形態について図を参照して説明する。
【００２５】
図１は、本発明に係る映像音声記録再生装置の一実施形態の電気的構成を示すブロック線図であり、ハードディスクドライブ一体型ＤＶＤレコーダを示している。
【００２６】
図において、チューナ部１は、マイクロコンピュータ（以下では、マイコンと称する）７から指示されたチャンネルの商用放送の番組を受信するとともに、受信して得られたアナログ映像信号（アナログ音声信号を含む）をＡ／Ｄ変換部２に出力する。Ａ／Ｄ変換部２は、チューナ部１から出力されるアナログ映像信号をデジタル映像信号（デジタル音声信号を含み、以下では、映像信号と称する）に変換し、信号処理部３に出力する。
【００２７】
なお、チューナ部１が出力する番組とは、チューナ部１が出力する番組を示すアナログ映像信号であり、このアナログ映像信号は、ＨＤＤ６やＤＶＤ１３に記録されるときでは、所定処理が施された映像音声情報として、ＨＤＤ６やＤＶＤ１３に記録される。しかし、以下における説明では、説明を簡明なものとするため、チューナ部１が出力するアナログ映像信号が、ＨＤＤ６やＤＶＤ１３に記録される場合では、チューナ部１が受信した『番組』、あるいは、チューナ部１が出力する『映像信号』は、チューナ部１が出力するアナログ映像音声信号を所定処理して得られた映像音声情報を示すものとする。
【００２８】
ディスクドライブ部５は、信号処理部３より出力される映像音声情報を、ＤＶＤ（請求項３記載の情報記録媒体）１３に記録する。また、ＤＶＤ１３に記録された映像音声情報を再生して信号処理部３に出力する。
【００２９】
ＨＤＤ６は、信号処理部３より出力される映像音声情報を内部に記録する。また、内部に記録した映像音声情報を再生して信号処理部３に出力する。Ｄ／Ａ変換部４は、信号処理部３より出力されるデジタル映像信号（デジタル音声信号を含む）を、アナログ映像信号（アナログ音声信号を含む）に変換し、外部に設けられたテレビ受像機１４に出力する。
【００３０】
信号処理部３は、Ａ／Ｄ変換部２から出力されるデジタル映像信号を、エンコード部１５を用い、ＭＰＥＧ２方式で圧縮処理することによって得られた映像音声情報を、ディスクドライブ部５やＨＤＤ６に出力する。また、ディスクドライブ部５やＨＤＤ６から出力される映像音声情報を、デコード部１６を用い、ＭＰＥＧ２方式で伸長処理することによって得られたデジタル映像信号（デジタル音声信号を含む）をＤ／Ａ変換部４に出力する。
【００３１】
また、信号処理部３は、マイコン７からの指示に従い、ディスクドライブ部５から出力された映像音声情報をＨＤＤ６に転送する。また、ＨＤＤ６より再生された映像音声情報をディスクドライブ部５に転送する。
【００３２】
入力回路部８は、図示されない装置本体の前面パネルに設けられた電源キー等のキースイッチや、リモートコントローラ（以下では、リモコンと称する）９から送信される赤外線信号を受光する受光ユニット等を備えており、ユーザからの指示が入力される。また、入力されたユーザからの指示をマイコン７に出力する。なお、入力回路部８とリモコン９とは、請求項記載の入力手段１０を構成している。
【００３３】
暗証番号記憶手段１１は、マイコン７に設けられたフラッシュメモリ等の不揮発性メモリによって構成され、入力手段１０を用いて予め入力された暗証番号を記憶する。
【００３４】
マイコン７は、ハードディスクドライブ一体型ＤＶＤレコーダとしての主要動作を制御する。すなわち、リモコン９等に入力されたユーザの指示に従って、チューナ部１が受信するチャンネルを制御する。また、信号処理部３を制御（信号処理部３を介したディスクドライブ部５やＨＤＤ６の制御を含む）することによって、ＤＶＤ１３に記録された映像音声情報を再生して、テレビ受像機１４に表示する制御を行う。また、チューナ部１が受信した番組をＤＶＤ１３に記録する制御を行う。
【００３５】
また、ＨＤＤ６に記録された映像音声情報を再生して、テレビ受像機１４に表示する制御を行う。また、チューナ部１が受信した番組をＨＤＤ６に記録する制御を行う。また、ディスクドライブ部５から出力される映像音声情報をＨＤＤ６に転送する制御、ＨＤＤ６から出力される映像音声情報をディスクドライブ部５に転送する制御を行う。
【００３６】
また、マイコン７は、その機能の一部でもって録画予約手段１７、予約実行手段１８、禁止許可設定手段１９を構成する。
【００３７】
録画予約手段１７は、録画する情報記録媒体がＨＤＤ６となるＨＤＤモードとなるとき、および、録画する情報記録媒体がＤＶＤ１３となるＤＶＤモードとなるときとの双方において、録画予約の受け付けとなるときには、信号処理部３のオンスクリーンディスプレイ（図示を省略）を制御することによって、録画予約に必要な情報（録画日、受信するチャンネル、録画の開始時刻、録画の終了時刻、録画モード）の入力を求める画面を表示する（図８を参照）。また、この画面表示に対応して入力された録画予約の情報を記憶する。予約実行手段１８は、録画予約手段１７に記憶された録画予約の情報に基づいて、チューナ部１が受信した番組を、ＨＤＤ６またはＤＶＤ１３に記録する。
【００３８】
禁止許可設定手段１９は、ＨＤＤ６に記録された映像音声情報の再生の指示が入力手段１０に入力されたときに、ＨＤＤ６に記録された映像音声情報の再生を禁止するか許可するかの設定と、ＨＤＤ６に映像音声情報（チューナ部１が出力する番組等）を記録する指示が入力手段１０に入力されたときに、ＨＤＤ６への映像音声情報の記録を禁止するか許可するかの設定とを行う。また、ＤＶＤ１３に記録された映像音声情報の再生の指示が入力手段１０に入力されたときに、ＤＶＤ１３の再生を禁止するか許可するかの設定と、ＤＶＤ１３に映像音声情報（チューナ部１が出力する番組等）を記録する指示が入力手段１０に入力されたときに、ＤＶＤ１３への映像音声情報の記録を禁止するか許可するかの設定とを行う。
【００３９】
また、禁止許可設定手段１９は、映像音声情報をＨＤＤ６に記録する指示が入力手段１０に入力されたときに、ＨＤＤ６への映像音声情報の記録を禁止する設定を行ったときには、ＨＤＤ６に番組を録画する録画予約の受け付けを録画予約手段１７が行うことを禁止するとともに、予約実行手段１８が録画予約手段１７が記憶した録画予約に基づいて、チューナ部１が受信した番組をＨＤＤ６に記録することを許可する。
【００４０】
また、映像音声情報をＤＶＤ１３に記録する指示が入力手段１０に入力されたときに、ＤＶＤ１３への映像音声情報の記録を禁止する設定を行ったときには、ＤＶＤ１３に番組を録画する録画予約の受け付けを録画予約手段１７が行うことを禁止するとともに、予約実行手段１８が録画予約手段１７が記憶した録画予約に基づいて、チューナ部１が受信した番組をＤＶＤ１３に記録することを許可する。
【００４１】
また、禁止許可設定手段１９は、入力手段１０に入力された暗証番号が、暗証番号記憶手段１１が記憶した暗証番号に一致するときには、ＤＶＤ１３の再生やＤＶＤ１３への記録の禁止や許可、ＨＤＤ６の再生やＨＤＤ６への記録の禁止や許可の設定の変更の受け付けを行う。
【００４２】
図２は、禁止許可の設定時の実施形態の主要動作を示すフローチャートである。必要に応じて同図を参照しつつ、実施形態の動作を説明する。
【００４３】
既に暗証番号が入力されており、入力された暗証番号が暗証番号記憶手段１１に記憶されているとする。この状態において、ＨＤＤ６の再生やＨＤＤ６への記録、ＤＶＤ１３の再生やＤＶＤ１３への記録に関して、禁止や許可の設定状態を変更するときには、リモコン９等を用いて、禁止許可の設定画面の表示を指示する（ステップＳ１）。設定画面の表示を指示すると、禁止許可設定手段１９は、図３に示す禁止許可の設定画面をテレビ受像機１４に表示する（ステップＳ２）。次いで暗証番号を入力する（ステップＳ３）。
【００４４】
暗証番号が入力されると、禁止許可設定手段１９は、入力された暗証番号が暗証番号記憶手段１１に記憶された暗証番号に一致するかどうかを調べる（ステップＳ４）。そして、一致するときには、設定の変更の受け付けを行う状態に移行する（ステップＳ５，Ｓ６）。このため、ユーザは、リモコン９に設けられた上下左右の方向キー（図示を省略）等を用いて、ＨＤＤ６の再生、ＨＤＤ６への記録、ＤＶＤ１３の再生、ＤＶＤ１３への記録のそれぞれ毎に、禁止するか許可するかを設定する（図３においては、ＨＤＤ６の再生とＨＤＤ６への記録とが許可、ＤＶＤ１３の再生が許可、ＤＶＤ１３への記録が禁止になっていることが示されている）。
【００４５】
なお、ステップＳ５において、入力された暗証番号が暗証番号記憶手段１１に記憶された暗証番号に一致しない場合には、設定の変更の受け付けは行われることなく、動作を終了する（再度、暗証番号の入力を求めるようにしてもよい）。
【００４６】
図４は、ＨＤＤ６の再生、ＨＤＤ６への記録、ＤＶＤ１３の再生、ＤＶＤ１３への記録のそれぞれについて、設定が可能な全ての組み合わせを示している。この組み合わせにおいて、ＨＤＤ６の再生、ＨＤＤ６への記録、ＤＶＤ１３の再生、ＤＶＤ１３への記録の全てを許可に設定するときには、全ての動作が可能になる（工場出荷時では、この状態に設定される）。また、ＨＤＤ６の再生、ＨＤＤ６への記録、ＤＶＤ１３の再生、ＤＶＤ１３への記録の全てを禁止に設定するときには、チューナ部１が受信した番組をテレビ受像機１４に表示する動作のみが許可されるに過ぎなくなる）。
【００４７】
図５は、再生の指示を入力したときの実施形態の主要動作を示すフローチャート、図６は、記録の指示を入力したときの実施形態の主要動作を示すフローチャート、図７は、録画予約の入力時の実施形態の主要動作を示すフローチャートである。必要に応じてこれらの図を参照しつつ、動作を説明する。
【００４８】
ＨＤＤ６を使用するモードであるＨＤＤモードと、ＤＶＤ１３を使用するモードであるＤＶＤモードとのうち、ＨＤＤモードになっているとする。この状態において、再生の指示を入力すると（ステップＳ１１）、マイコン７は、ＨＤＤ６に記録された映像音声情報の再生が禁止されているのか、許可されているのかを調べる（ステップＳ１２）。禁止されているときには、ＨＤＤ６の再生が禁止されていることを示すメッセージをテレビ受像機１４に表示し、再生を実行することなく動作を終了する（ステップＳ１３，Ｓ１４）。一方、ＨＤＤ６の再生が許可されているときには、ＨＤＤ６に記録された映像音声情報を再生して、テレビ受像機１４に表示する制御を行う（ステップＳ１３，Ｓ１５）。
【００４９】
また、ＨＤＤモードとなっている状態において、チューナ部１が受信した番組をＨＤＤ６に録画する指示が入力されると（ステップＳ２１）、マイコン７は、ＨＤＤ６への映像音声情報の記録が禁止となっているのか、許可となっているのかを調べる（ステップＳ２２）。禁止となっているときには、ＨＤＤ６への番組の録画が禁止されていることを示すメッセージを表示し、録画を実行することなく動作を終了する（ステップＳ２３，Ｓ２４）。一方、ＨＤＤ６への記録が許可されているときには、チューナ部１が受信した番組をＨＤＤ６に録画する制御を行う（ステップＳ２３，Ｓ２５）。
【００５０】
また、ＨＤＤモードとなっている状態において、録画予約の画面の表示を指示されると（ステップＳ３１）、録画予約手段１７は、録画予約のための画面（図８参照）を表示する（ステップＳ３２）。このとき、既に入力された録画予約があるときでは、この録画予約を表示する（４１により示す）。次いで、録画予約手段１７は、ＨＤＤ６への記録が禁止となっているのか、許可となっているのかを調べる（ステップＳ３３）。禁止となっているときには、ＨＤＤ６に番組を録画する録画予約の受け付けは禁止となっていることを示すメッセージ４２を表示し、動作を終了する（ステップＳ３４，Ｓ３５）。一方、ＨＤＤ６への記録が許可されているときには、録画予約の入力の受け付けを行う（ステップＳ３４，Ｓ３６）。
【００５１】
上記方法により入力された録画予約については、ＨＤＤ６への記録が禁止されているときにも、この禁止に関わりなく、予約実行手段１８によって実行される。つまり、録画予約については、禁止の設定は無視されるようになっている。従って、ＨＤＤ６への記録が禁止されているとき、および、ＨＤＤ６への記録が許可されているときの双方において、録画予約により示される開始日時となったときには、録画予約により示されるチャンネルの番組の、ＨＤＤ６への記録が開始されることになる。
【００５２】
なお、上記した動作説明は、ＨＤＤモードとなっている場合であるが、ＤＶＤモードとするときでは、再生の対象となる情報記録媒体を、ＨＤＤ６からＤＶＤ１３に変更すると、同一動作となる。すなわち、再生の指示を入力すると、ＤＶＤ１３の再生が禁止なのか、許可なのかが調べられ、禁止のときには再生が実行されず、許可のときにはＤＶＤ１３の再生が行われる。
【００５３】
また、記録の指示を入力すると、ＤＶＤ１３への記録が禁止なのか、許可なのかが調べられ、禁止のときには記録が実行されず、許可のときにはＤＶＤ１３への記録が行われる。また、録画予約については、ＤＶＤ１３への記録が許可されているときには、録画予約の受け付けが行われ、ＤＶＤ１３への記録が禁止されているときには、録画予約の受け付けは行われない。また、録画予約は、ＤＶＤ１３を対象として、予約実行手段１８により実行される。
【００５４】
以下に、ＨＤＤ６やＤＶＤ１３の再生の禁止や許可、ＨＤＤ６やＤＶＤ１３への記録の禁止や許可の設定に関し、設定内容に対応して生じる効果について説明する。
【００５５】
ＤＶＤ１３やＨＤＤ６の再生を禁止する場合では、例えば、ビデオカメラを用いて撮影した個人的な映像がＤＶＤ１３やＨＤＤ６に記録されているときでも、この映像が、不用意に再生されるという事態の発生が防止される。また、ＤＶＤ１３への記録を禁止する場合では、例えば、特定の番組のみを記録するために使用しているＤＶＤ１３を装置にセットしたままにするときにも、他の者によって、異なる種類の番組が記録されるという事態の発生が防止される。
【００５６】
また、ＨＤＤ６への記録を禁止する場合では、以下に示す状態となるときに、特に有効となる。すなわち、いま、ＨＤＤ６への２時間分の番組の録画予約が入力されているとする。また、ＨＤＤ６の空き領域が、２時間分した残されていないとする。このような場合、録画予約が実行される以前に、ＨＤＤ６に、他の者によって録画されるという事態が発生すると、録画予約の実行時には空き領域の不足となって、録画予約が実行されなくなるという事態が発生する。しかし、ＨＤＤ６への記録を許可に設定した状態において録画予約の入力を行った後、ＨＤＤ６への録画を禁止状態に設定すると、２時間分の空き領域が、録画予約が実行されるときまで確保されるので、空き領域の不足が原因となって録画予約が実行されなくなるという事態の発生が防止される。
【図面の簡単な説明】
【００５７】
【図１】本発明に係る映像音声記録再生装置の一実施形態の電気的構成を示すブロック線図である。
【図２】再生や記録に関して、禁止するか許可するかの設定時の実施形態の主要動作を示すフローチャートである。
【図３】再生や記録に関して、禁止するか許可するかの設定時の画面を示す説明図である。
【図４】禁止と許可との組み合わせの一覧を示す説明図である。
【図５】再生の指示を入力したときの実施形態の主要動作を示すフローチャートである。
【図６】記録の指示を入力したときの実施形態の主要動作を示すフローチャートである。
【図７】録画予約の入力時の実施形態の主要動作を示すフローチャートである。
【図８】録画予約の入力時の画面を示す説明図である。
【符号の説明】
【００５８】
１  チューナ部
５  ディスクドライブ部
６  ハードディスクドライブ（情報記録媒体）
１０  入力手段
１１  暗証番号記憶手段
１３  ＤＶＤ（情報記録媒体）
１７  録画予約手段
１８  予約実行手段
１９  禁止許可設定手段
【図１】
2006148717.tif 000003
【図２】
2006148717.tif 000004
【図３】
2006148717.tif 000005
【図４】
2006148717.tif 000006
【図５】
2006148717.tif 000007
【図６】
2006148717.tif 000008
【図７】
2006148717.tif 000009
【図８】
2006148717.tif 000010